(57)【要約】【課題】ダブルステッチが蛇行してしまうことを防止する縫製ガイド治具を提供する。【解決手段】少なくとも二枚の布地９０を縫い合わせた後、この縫い目９０ａの一方側および他方側に位置する布地９０の本体部分９１に各布地９０の縫い代部分９２を縫い合わせるときにミシン８０に取り付けて使用する治具であって、ミシン台８１の上側に位置する、前記各布地９０の縫い代部分９２同士の間に先細に形成された上側縁３１が入り込むガイド部３０を有し、このガイド部３０は、先端部分の側方視形状がミシンが有する押さえ金８２の先端部分の側方視形状に沿った形状である縫製ガイド治具１とした。【選択図】図１
2012217560.tif 000002
【特許請求の範囲】
【請求項１】
少なくとも二枚の布地を縫い合わせた後、この縫い目の一方側および他方側に位置する布地の本体部分に各布地の縫い代部分を縫い合わせるときにミシンに取り付けて使用する縫製ガイド治具であって、
ミシン台の上側に位置する、前記各布地の縫い代部分同士の間に先細に形成された上側縁が入り込むガイド部を有し、
このガイド部は、先端部分の側方視形状がミシンが有する押さえ金の先端部分の側方視形状に沿った形状であることを特徴とする縫製ガイド治具。
【請求項２】
ミシン台の側面に密着して取り付けられる第一のベース部と、
この第一のベース部におけるミシン台に密着した面の反対側の面に第一のベース部に対して上下方向に移動可能に取り付けられる、前記ガイド部と一体的に構成された第二のベース部と、を備え、
前記第一のベース部と前記第二のベース部との間には、テープ状の布材が通される挿通孔が形成されていることを特徴とする請求項１に記載の縫製ガイド治具。
【請求項３】
前記ガイド部の先端部分には、ミシンが有する送り歯同士の間に位置する突起が形成されていることを特徴とする請求項１または請求項２に記載の縫製ガイド治具。
【発明の詳細な説明】
【技術分野】
【０００１】
本発明は、縫製ガイド治具に関し、さらに詳しくは、布地の本体部分に布地の縫い代部分を縫い合わせるときに、ミシンに取り付けて用いる縫製ガイド治具に関する。
【背景技術】
【０００２】
下記特許文献１には、少なくとも二枚の布地を縫い合わせた後、この縫い目（いわゆる地縫いの縫い目のこと。以下、単に「縫い目」と称するものはこの縫い目のことをいうものとする）の一方側および他方側に位置する布地の本体部分に各布地の縫い代部分を縫い合わせる（以下、このような縫製を「ダブルステッチ」と称することもある）ときに使用する縫製ガイド治具が記載されている。この特許文献１に記載の縫製ガイド治具は、縫い目の下方に沿うセンター突起と、縫い目の側方に沿うサイド突起とを備え、この両突起によって布地を案内することによりダブルステッチの蛇行を防止しようとするものである。
【先行技術文献】
【特許文献】
【０００３】
【特許文献１】特開平６−１９８０９２号公報
【発明の概要】
【発明が解決しようとする課題】
【０００４】
しかし、上記特許文献１に記載の構成は、縫製ガイド治具と、この治具が取り付けられるミシンの押さえ金（先端が上方に湾曲した縫製位置で布地を押さえるための部材）との間隔が大きく、ダブルステッチ時の蛇行を確実に防止することができなかった。つまり、上記縫製ガイド治具を用いて布地を案内しても、ダブルステッチを施す縫製位置（以下、単に「縫製位置」と称するものは、このダブルステッチを施す縫製位置のことをいうものとする）に移動するまで（押さえ金によって押さえられる位置に移動するまで）に布地が位置ずれしてしまう問題があった。かかる問題は、曲線状のダブルステッチを施す際などに特に顕著となる。
【０００５】
上記実情に鑑み、本発明が解決しようとする課題は、少なくとも二枚の布地を縫い合わせた後、この縫い目の一方側および他方側に位置する布地の本体部分に各布地の縫い代部分を縫い合わせるダブルステッチが蛇行してしまうことを防止する縫製ガイド治具を提供することにある。
【課題を解決するための手段】
【０００６】
上記課題を解決するために本発明にかかる縫製ガイド治具は、少なくとも二枚の布地を縫い合わせた後、この縫い目の一方側および他方側に位置する布地の本体部分に各布地の縫い代部分を縫い合わせるときにミシンに取り付けて使用する縫製ガイド治具であって、ミシン台の上側に位置する、前記各布地の縫い代部分同士の間に先細に形成された上側縁が入り込むガイド部を有し、このガイド部は、先端部分の側方視形状がミシンが有する押さえ金の先端部分の側方視形状に沿った形状であることを要旨とする。
【０００７】
上記本発明にかかる縫製ガイド治具は、縫い代部分の間に入り込むガイド部を有する。つまり、ダブルステッチが施される布地は、ガイド部により縫い目に沿って案内される。このガイド部の先端部分の側方視形状は、ミシンの押さえ金の先端部分に沿った形状となっているため、ガイド部とミシンの押さえ金との距離が近く、ガイド部によって案内された布地が実際の縫製位置に移動するまで（押さえ金によって押さえられる位置に移動するまで）の間に位置ずれしてしまうことはほとんどない。したがって、本発明にかかる縫製ガイド治具を用いれば、ダブルステッチを縫い目に沿って施すことができる。すなわち、ダブルステッチが蛇行してしまうことを防止することができる。特に、上記構成は、曲線状の縫い目に沿って曲線状のダブルステッチを施す場合などに有効である。
【０００８】
またこの場合、ミシン台の側面に密着して取り付けられる第一のベース部と、この第一のベース部におけるミシン台に密着した面の反対側の面に第一のベース部に対して上下方向に移動可能に取り付けられる、前記ガイド部と一体的に構成された第二のベース部と、を備え、前記第一のベース部と前記第二のベース部との間には、テープ状の布材を通される挿通孔が形成されていればよい。
【０００９】
かかる構成とすれば、第一のベース部に対する第二のベース部の取付位置を調整することにより、ガイド部の上下方向位置を自在に調整することができる。また、ダブルステッチを施す際、すなわち布地の本体部分に各布地の縫い代部分を縫い合わせる際には、一緒にテープ状の布材（縫合部分近傍の補強や、縫い目から布地内部が見えないように隠すためなどに用いられる）を縫い合わせることがある。上記構成では、第一のベース部と第二のベース部との間に上記テープ状の布材が通される挿通孔が形成されているため、この挿通孔にテープ状の布材を通して縫製位置まで案内させることができる。つまり、上記構成は、ガイド部の上下方向位置を調整可能とするため第一のベース部と第二のベース部に分割されていることを巧みに利用して、テープ状の布材を通すことのできる挿通孔を設けたものである。
【００１０】
また、前記ガイド部の先端部分には、ミシンが有する送り歯同士の間に位置する突起が形成されていればよい。
【００１１】
ダブルステッチを施す場合、縫い合わせる部分が二箇所になることから、ミシンには二箇所の送り歯が設けられることが多い。上記構成では、ガイド部に送り歯同士の間に位置する突起が形成されているため、送り歯とガイド部の干渉を防止しつつ、ガイド部をできる限り縫製位置に近づけて配置することができる。したがって、ダブルステッチが蛇行してしまうことをより確実に防止することができる。
【発明の効果】
【００１２】
本発明によれば、ガイド部とミシンの押さえ金との距離が近く、ガイド部によって案内された布地が縫製位置に移動するまでに位置ずれすることはほとんどないから、ダブルステッチの蛇行が防止される。
【図面の簡単な説明】
【００１３】
【図１】本発明の一実施形態にかかる縫製ガイド治具を手前側から見た平面図である。
【図２】本発明の一実施形態にかかる縫製ガイド治具の側面図である。
【図３】本発明の一実施形態にかかる縫製ガイド治具の外観斜視図である。
【図４】本発明の一実施形態にかかる縫製ガイド治具を上方から見た平面図であり、縫製ガイド治具が有するガイド部に形成された突起と、ミシンの送り歯との位置関係を説明するための図である。
【図５】別の本発明の一実施形態にかかる縫製ガイド治具の外観斜視図である。
【発明を実施するための形態】
【００１４】
以下、本発明の実施形態にかかる縫製ガイド治具１について図面を参照しつつ詳細に説明する。なお、以下の説明において、単に上下方向（高さ方向）とは図１および図２に示したＺ方向をいい、幅方向とは図１に示したＹ方向をいい、前後方向とは図２に示したＸ方向をいう。真っ直ぐ縫製する（ダブルステッチを施す）場合、その縫製方向は前後方向に沿う。
【００１５】
本実施形態にかかる縫製ガイド治具１は、図１に示すように少なくとも二枚の布地９０を縫い合わせた後、この縫い目９０ａの一方側および他方側に位置する布地９０の本体部分９１に各布地９０の縫い代部分９２を縫い合わせるときにミシン８０に取り付けて使用する治具である。この縫製ガイド治具１は、第一のベース部１０と、この第一のベース部１０に取り付けられる第二のベース部２０と、この第二のベース部２０と一体的に構成されたガイド部３０と、を備える。
【００１６】
第一のベース部１０は、ミシン台８１の側面（縫製作業を行う者にとっての手前側の面）に密着して取り付けられる、治具の土台となる部分である。第一のベース部１０には、幅方向に延びる二つの長孔１１が形成されており、かかる長孔１１に挿通されたボルトによりミシン台８１の側面に固定される。このように、第一のベース部１０を取り付けるための長孔１１は幅方向に長いから、幅方向における第一のベース部１０の取付位置を調整することができる。また、第一のベース部１０の上方は、上端に向かって段々と厚みが小さくなるように傾斜している（傾斜面１２が形成されている）。さらに、本実施形態では、後述するテープ状の布材９５を案内する布材案内部１３が設けられている。布材案内部１３は、幅方向に長い上下方向に貫通した孔である。
【００１７】
第二のベース部２０は、第一のベース部１０に取り付けられる。具体的には、第一のベース部１０におけるミシン台８１に密着した面の反対側の面に取り付けられる。したがって、第二のベース部２０とミシン台８１の側面（手前側の面）との間には、第一のベース部１０の厚み分の隙間が存在する。第二のベース部２０には、上下方向に延びる二つの長孔２１が形成されており、かかる長孔２１に挿通されたボルトにより第一のベース部１０に固定される。このように、第二のベース部２０を取り付けるための長孔２１は上下方向に長いから、上下方向における第一のベース部１０に対する第二のベース部２０の取付位置を調整することができる。上述したように、第一のベース部１０に形成された幅方向に延びる長孔１１により、幅方向における第一のベース部１０の取付位置を調整することができ、第二のベース部２０に形成された上下方向に延びる長孔２１により、上下方向における第一のベース部１０に対する第二のベース部２０の取付位置を調整することができる。したがって、本実施形態にかかる縫製ガイド治具１は、これらの取付位置を調整することにより、第二のベース部２０と一体的に構成された詳細を後述するガイド部３０の位置を調整することができる構成である。
【００１８】
また、第二のベース部２０の下方（長孔２１の間）には、下端に向かって段々と厚みが小さくなるように傾斜した部分（傾斜面２２）が形成されている。第一のベース部１０に対して第二のベース部２０が取り付けられると、第一のベース部１０に形成された傾斜面１２と、第二のベース部２０に形成された傾斜面２２が所定の間隔で対向する。つまり、傾斜面１２と傾斜面２２の間には、幅方向に延びる孔が形成された構造となる。この幅方向に延びる孔が、テープ状の布材９５が通される挿通孔２０ａとなる。図２に示すように、挿通孔２０ａは、第一のベース部１０の手前側から、第二のベース部２０の奥側に向かって貫通した孔である。この挿通孔２０ａは、上述した第二のベース部２０とミシン台８１の側面との間の隙間に連なる。
【００１９】
ガイド部３０は、第二のベース部２０と一体的に構成された部分である。具体的には、第二のベース部２０の平面方向（縫製ガイド治具１が所定位置に取り付けられた状態におけるＹＺ平面方向）に対して直交する方向（縫製ガイド治具１が所定位置に取り付けられた状態におけるＸ平面方向）に延びる部分である。つまり、ガイド部３０は、ミシン台８１の上側に位置する。ガイド部３０の下面とミシン台８１の上面の間には、後述するテープ状の布材９５が挿通可能となるような隙間が存在する。
【００２０】
図１から図４に示すように、ガイド部３０は、その側方から見た形状（側方視形状）が「イルカ」のような形状である。具体的には、ガイド部３０の上側縁３１は、第二のベース部２０側から段々と上方に向かって傾斜し、先端部分が湾曲しつつ下降するような形状となっている。そして、当該下降した先端部分（図２において太線Ｘで示す部分）の側方視形状が、ミシン８０の押さえ金８２における先端部分の湾曲した形状に沿った形状となっている。つまり、側方から見ると、ミシン８０の押さえ金８２の先端部分の曲線とガイド部３０の先端部分の曲線は、微少な隙間を隔てて対向している。この隙間は、縫製対象物である二枚の布地９０を縫い合わせた糸（縫い目９０ａを構成する糸）の太さよりも大きく設定されている。
【００２１】
また、ガイド部３０は、その前方（後方）から見た形状（前方（後方）視形状）が上方に向かって段々と細くなるような形状である。つまり、ガイド部３０の上側縁３１は、先細となっている。この先細である上側縁３１が、布地９０の縫い代部分９２同士の間に入り込む。
【００２２】
さらに、ガイド部３０の先端部分には、ミシン８０が有する送り歯８３同士の間に位置する突起３２が形成されている。かかる突起３２は、ミシン８０が有する送り歯８３同士の間に位置する。通常、ダブルステッチを施す場合、一方側のステッチを施す布と、他方側のステッチを施す布を送る送り歯８３が二箇所に設けられたミシン８０を使用する。本実施形態にかかる縫製ガイド治具１のガイド部３０には、この送り歯８３同士の間に位置するような突起３２が設けられている。この突起３２の幅は、送り歯８３同士の隙間よりも小さく、突起３２が送り歯８３に干渉しないように設定されている。
【００２３】
以上の構成を備える縫製ガイド治具１は、次のように用いられる。上述のように第一のベース部１０がミシン台８１の側面（手前側の面）に固定される。この第一のベース部１０の取付位置や、第一のベース部１０に対する第二のベース部２０の取付位置を調整することにより、ガイド部３０の高さ方向位置および幅方向位置を調整する。ガイド部３０の高さ方向位置は、ダブルステッチに際しテープ状の布材９５を一緒に縫い付ける場合には、ガイド部３０の下面とミシン台８１の上面との間に当該布材が通ることのできるような隙間を確保する。また、ガイド部３０の幅方向位置は、ガイド部３０の上側縁３１がミシン８０の中心線（一方のミシン針８４と他方のミシン針８４から等距離にある線）に沿うように設定する。
【００２４】
本実施形態にかかる縫製ガイド治具１を用いてダブルステッチを施す対象は、少なくとも二枚の布地９０を縫い合わせたものである。この布地９０の各本体部分９１に対し、縫い目９０ａで折り返された縫い代部分９２が縫い合わされることによってダブルステッチが施される。このような布地９０としては、クッション材（パッド）を覆う車両用シートのシートカバー（表皮）が例示できる。
【００２５】
上記縫製ガイド治具１のガイド部３０は、先細に形成された上側縁３１がミシン８０の中心線に沿うように配置されているから、布地９０の縫い代部分９２同士の間にガイド部３０の上側縁３１が入り込む。つまり、ガイド部３０の上側縁３１が縫い目９０ａの下側に接触した状態となる。
【００２６】
実際に縫製作業を行う際には、布地９０を手前側から奥側に送る。このとき、ガイド部３０の上側縁３１が縫い代部分９２同士の間に入り込んでいるから、少なくともこの入り込んだ部分においては各縫い代部分９２が縫い目９０ａで折り返された状態が確実に維持される。上述したようにガイド部３０の先端部分の形状（側方視形状）は、ミシン８０の押さえ金８２における先端部分の湾曲した形状に沿った形状となっているから、ガイド部３０をミシン８０の押さえ金８２に近接させることができる。このようにガイド部３０と押さえ金８２が近接していれば、ガイド部３０の上側縁３１が縫い代部分９２同士の間に入り込んだ状態が解消されてすぐに布地９０は押さえ金８２によって押さえられた状態となる。すなわち、各縫い代部分９２が縫い目９０ａで折り返された状態がそのまま維持されて押さえ金８２によって押さえられることになるから、縫い目９０ａに沿ったダブルステッチ（縫い目９０ａまでの距離が一定であるダブルステッチ）を施すことができる。つまり、ダブルステッチが蛇行することを防止することができる。
【００２７】
ただし、上述したように、ガイド部３０とミシン８０の押さえ金８２の隙間（ガイド部３０とミシン８０の押さえ金８２の最も近接した部分の距離）は、二枚の布地９０を縫い合わせた糸（縫い目９０ａを構成する糸）の太さよりも大きく設定されている。このようにしなければ、ガイド部３０とミシン８０の押さえ金８２との間に縫い目９０ａの部分が挟み込まれて、縫い目９０ａを構成する糸が切れてしまうおそれがあるからである。
【００２８】
このようなダブルステッチの縫製作業において、テープ状の布材９５を同時に縫い付ける場合について説明する。テープ状の布材９５は、第一のベース部１０に形成された布材案内部１３を通されて、第一のベース部１０と第二のベース部２０の間に形成された挿通孔２０ａを通される。挿通孔２０ａを通ったテープ状の布材９５は、ミシン台８１の側面と第二のベース部２０の前面との間、ミシン台８１の上面とガイド部３０の下面との間を通って縫製位置まで導かれる。このようにして縫製位置まで導かれたテープ状の布材９５が、ダブルステッチと同時にテープ状の布材９５が縫い付けられる。縫い付けられたテープ状の布材９５は、縫合部分近傍の補強や、縫い目９０ａから布地９０内部が見えないように隠すためなどに用いられる。車両用シートのシートカバーとして用いられる布地９０の場合には、上記テープ状の布材９５を縫い付けることによって、カバー内部のクッション材（パッド）が縫い目９０ａから見えないようになる。
【００２９】
以上説明した本発明の一実施形態にかかる縫製ガイド治具１によれば、次のような作用効果が奏される。
【００３０】
上述したように、本実施形態にかかる縫製ガイド治具１は、縫い代部分９２の間に入り込み縫い目９０ａに沿って布地９０を案内するガイド部３０を有する。このガイド部３０の先端部分の側方視形状は、ミシン８０の押さえ金８２の先端部分に沿った形状となっているため、ガイド部３０をミシン８０の押さえ金８２と近接させることができる。そのため、ガイド部３０によって案内された布地９０が実際の縫製位置に移動するまで（押さえ金８２によって押さえられる位置に移動するまで）の間に位置ずれしてしまうことはほとんどない。したがって、本実施形態にかかる縫製ガイド治具１を用いれば、ダブルステッチを縫い目９０ａに沿って施すことができる。すなわち、ダブルステッチが蛇行してしまうことを防止することができる。特に、上記構成は、曲線状の縫い目９０ａに沿って曲線状のダブルステッチを施す場合などに有効である。
【００３１】
また、本実施形態にかかる縫製ガイド治具１は、ミシン台８１の側面に密着して取り付けられる第一のベース部１０と、この第一のベース部１０におけるミシン台８１に密着した面の反対側の面に第一のベース部１０に対して上下方向に移動可能に取り付けられる、ガイド部３０と一体的に構成された第二のベース部２０とを備える。そして、第一のベース部１０と第二のベース部２０との間には、テープ状の布材９５が通される挿通孔２０ａが形成されている。そのため、第一のベース部１０に対する第二のベース部２０の取付位置を調整することにより、ガイド部３０の上下方向位置を自在に調整することができる。また、第一のベース部１０と第二のベース部２０との間に形成された挿通孔２０ａにテープ状の布材９５を通して縫製位置まで案内させることができる。つまり、ガイド部３０の上下方向位置を調整可能とするため第一のベース部１０と第二のベース部２０に分割されていることを巧みに利用して、テープ状の布材９５を通すことのできる挿通孔２０ａを設けた構成である。
【００３２】
また、本実施形態にかかる縫製ガイド治具１におけるガイド部３０の先端部分には、ミシン８０が有する送り歯８３同士の間に位置する突起３２が形成されている。そのため、送り歯８３とガイド部３０の干渉を防止しつつ、ガイド部３０をできる限り縫製位置に近づけて配置することができる。したがって、ダブルステッチが蛇行してしまうことをより確実に防止することができる。
【００３３】
以上、本発明の実施形態について詳細に説明したが、本発明は上記実施形態に何ら限定されるものではなく、本発明の要旨を逸脱しない範囲で種々の改変が可能である。
【００３４】
例えば、上記実施形態にかかる縫製ガイド治具１は、第一のベース部１０に対してガイド部３０と一体的に構成された第二のベース部２０が取り付けられた構成であることを説明したが、図５に示すように、全ての部分（上記実施形態における第一のベース部１０に相当する構成１０′、上記実施形態における第二のベース部２０に相当する構成２０′、および、ガイド部３０）が一体的に構成された構造（縫製ガイド治具１′）とすることもできる。
【符号の説明】
【００３５】
１        縫製ガイド治具
１０      第一のベース部
２０      第二のベース部
２０ａ    挿通孔
３０      ガイド部
３１      上側縁
３２      突起
８０      ミシン
８１      ミシン台
８２      押さえ金
８３      送り歯
９０      布地
９０ａ    縫い目
９１      本体部分
９２      縫い代部分
９５      テープ状の布材
【図１】
2012217560.tif 000003
【図２】
2012217560.tif 000004
【図３】
2012217560.tif 000005
【図４】
2012217560.tif 000006
【図５】
2012217560.tif 000007